(57)【特許請求の範囲】
【請求項１】
火災による煙や熱を検知する火災検出部と、該火災検出部および電気部品およびスイッチを実装する回路基板と、該回路基板を取付する本体と、該本体に係止されるカバーと、該カバーに設けた保持部に取付され、引き紐を取付する係止部および押し釦操作部を前記カバーの前面側に設けた開口部から臨ませる操作体と、を備えた火災警報器において、
前記操作体は、略シーソー形状の平板からなり、前記保持部に取付られる一対の軸部を中心にして前記平板の両端に前記押し釦操作部と前記係止部とがそれぞれ設けられ、
前記操作体の前記軸部は、前記係止部が前面側に引かれると前記押し釦操作部が背面側に回動して前記スイッチを操作するように前記保持部に回動自在に取付けされていることを特徴とする火災警報器。
【発明の詳細な説明】
【技術分野】
【０００１】
本発明は、押し釦スイッチ操作用の引き紐が火災警報器の前面側から容易に着脱されるようにするものである。
【背景技術】
【０００２】
従来、警報器は、引き紐が警報器本体の内部に収納された操作手段を経由して外部へと引出されている。そのため、警報器本体の内部に配線スペースを確保しなければならなかった。また、居住者が引き紐を着脱することができなかった（例えば、特許文献１参照）
【特許文献１】特開２００４−２３４０８９号（図２）
【発明の開示】
【発明が解決しようとする課題】
【０００３】
従来の警報器は、押しボタンと外部操作用のフックは警報器中央部に離れて支点が設けられているため、警報音停止スイッチを操作するときに、押しボタンおよび外部操作用のフックは共に警報器の背面側に押されていた。ただし、引き紐は警報器の前面側に引かれて警報音停止スイッチを操作する必要があるため、引き紐の内端部が警報器本体内部に固定され、警報器本体内に収納された押しボタンの側面部に一体的に設けられた外部操作用のフックを経由して、警報器本体の側面部から外部へ引き出していた。そのため、警報器本体内部に引き紐の収納スペースを確保しなければならなかった。
【０００４】
また、引き紐が警報器本体内を通過しているため、居住者が引き紐を着脱できないため、使い勝手がよくなかった。
【０００５】
本発明は、引き紐は火災警報器の筐体内に収納せず、前面の押しボタンと並列した係止部に着脱可能に引っ掛けることにより、居住者の好みに合わせて十分対応できる火災警報器を提供することを目的とする。
【課題を解決するための手段】
【０００６】
本発明の火災警報器は、火災による煙や熱を検知する火災検出部と、火災検出部および電気部品およびスイッチを実装する回路基板と、回路基板を取付する本体と、本体に係止されるカバーと、カバーに設けた保持部に取付され、引き紐を取付する係止部および押し釦操作部をカバーの前面側に設けた開口部から臨ませる操作体と、を備えた火災警報器において、操作体は、略シーソー形状の平板からなり、保持部に取付られる一対の軸部を中心にして平板の両端に押し釦操作部と係止部とがそれぞれ設けられ、操作体の軸部は、係止部が前面側に引かれると押し釦操作部が背面側に回動してスイッチを操作するように保持部に回動自在に取付けされていることを特徴とするものである。
【発明の効果】
【０００９】
本発明は、引き紐が火災警報器の内部を通過しないため、火災警報器の内部に引き紐の収納スペースを確保しなくてよい。また、天井等から火災警報器を取り外すことなく、居住者が引き紐の着脱を容易にできるので、好みに合わせて対応することができる。
【発明を実施するための最良の形態】
【００１０】
図１は、本発明の実施形態である火災警報器３０の外観図である。図２は、本発明の実施形態である火災警報器３０の操作体１の外観図である。図３は、本発明の一実施形態である火災警報器３０の操作体１の側面図である。図４は、本発明の実施形態における火災警報器３０において引き紐５が取付された状態を示す断面図である。
【００１１】
カバー１３の前面側中央にある火災検出部１６の煙導入路から周縁部に達する傾斜面１８に２つの開口部１０が設けられ、操作体１の押し釦操作部３がスイッチ操作により開口部１０を摺動可能であり、かつ、引き紐５が係止部６に着脱可能な状態で組込まれている。また、カバー１３の背面側における２つの開口部１０の間に操作体１の保持部８が設けられている。
【００１２】
操作体１は、押し釦操作部３と、引き紐５の係止部６と、表示灯１２の導光部４と、カバー１３の保持部８に取付られる一対の軸部２とが、一体的に構成されている。操作体１は略シーソー形状をなし、一対の軸部２を中心として平板７の両端の同じ面に押し釦操作部３と引き紐５の係止部６とが設けられている。また、カバー１３の傾斜面１８の内部に保持されるため、押し釦操作部３と引き紐５の係止部６との間の平板７も傾斜角度を有している。さらに、操作体１は、カバー１３の開口部１０の傾斜面１８と一体感をもたせるために操作面１９を傾斜させ、その延長線２０上に係止部６を配置している。
【００１３】
上記の構成により、操作体１は、カバー１３の保持部８に取付すると一対の軸部２を中心として、シーソーのように平板７および押し釦操作部３と引き紐５の係止部６が回動する。従って、押し釦操作部３が背面側に押されるか、または、引き紐５の係止部６が前面側に引かれるかで、いずれもスイッチ１１を操作することが可能である。従って、操作体１は外部操作用フック等を設けなくてよい。なお、スイッチ１１の押しすぎを防止するため、押し釦操作部３の背面側に機械的ロックとなる凹部２１を設けている。
【００１４】
操作面１９が長丸形状である押し釦操作部３の中心位置の回路基板１５にスイッチ１１が配置されている。また、長丸形状の押し釦操作部３の両端は、回路基板１５にスイッチ１１と並べて配置されている表示灯１２の導光部４を兼ねている。押し釦操作部３の形状は長丸以外でもよく、表示灯１２の導光部４と別々に設けてもよい。火災警報器３０の火災検出部１６が煙を検出すると、回路基板１５に実装される制御部が、図示しないブザー等により警報音を鳴動させたり、表示灯１２を点灯させて、火災発生を報知する。このとき、導光部４によって表示灯１２の点灯状態がさらに確認しやすくなる。また、火災警報器３０のバッテリ容量低下や警報器故障などの異常時に点灯する表示灯１２を別に設けてもよい。警報音の鳴動中に、押し釦操作部３を押すことにより警報音が停止する。
【００１５】
引き紐５の係止部６は、引き紐５が容易に着脱できるように、先端がコ字状の引掛け片９となっている。居住者はリング状にした引き紐５の先端を引掛け片９に通せばよい。また、引き紐５を取り外すときは逆の手順で行う。いずれの場合も、火災警報器３０を分解せず容易に引き紐５を着脱することができる。また、長さやデザインが異なる引き紐５に交換してもよく、居住者の好みに応じた使い方ができる。
【００１６】
図５は、本発明の実施形態における火災警報器３０においてスイッチ１１の操作時の操作体１の状態を示す断面図である。図６は、本発明の実施形態における火災警報器３０においてスイッチ１１の無操作時の操作体１の状態を示す断面図である。火災警報器３０の作動時に押し釦操作部３が押されてスイッチ１１を操作すると（キートップ１７が変位し）、警報音が停止する。このとき、押し釦操作部３はスイッチ１１の図示しないバネによる戻り力で元の位置に復帰させることができる。一方、外力によるスイッチ１１の誤操作防止のため、スイッチ１１と押し釦操作部３の間隔を広げてストロークを長くする方法がある。この場合は、スイッチ１１を操作した後の押し釦操作部３から手を離した時点において（キートップ１７が復帰し）、押し釦操作部３は一対の軸部２を回動する操作体１の自重によって元の位置に復帰させてもよい。
【００１７】
例えば、天井面に火災警報器３０が取付されるときは、前面側が重力の向きとなり、操作体１は火災警報器３０の傾斜面１８の内部で、一対の軸部２を中心として押し釦操作部３と引き紐５の係止部６を床面に向けた状態となる。この場合、押し釦操作部３が引き紐５の係止部６より重いため、押し釦操作部３が前面側に引かれて操作体１は元の位置に戻る。通常、引き紐５自体の重量は無視できるため、引き紐５が係止部６に取付られた状態でも同様の作用が得られる。なお、引き紐５自体が重くなっても同様の作用が得られるように、操作体１回動の支点となる一対の軸部２が平板７の係止部６寄りに設けられてもよい。
【００１８】
また、壁面に火災警報器３０が取付されるときは、操作体１が設けられている火災警報器３０の側面方向が重力の向きとなり、操作体１は火災警報器３０の内部で押し釦操作部３と引き紐５の係止部６を側壁面に向けた状態となる。この場合、一対の軸部２を中心として傾斜した平板７の上側の押し釦操作部３が前方に回動するため、押し釦操作部３が前面側に引かれて操作体１は元の位置に戻る。同様に、引き紐５が係止部６に取付られた状態でも同じ作用が得られる。従って、火災警報器３０は天井面または壁面に取付しても、無操作時は操作体１を自重で復帰させることができる。
【００１９】
次に、本発明の実施形態における火災警報器３０の組立方法について説明する。まず、スイッチ１１、表示灯１２などの電気部品を実装した回路基板１５に火災検出部１６を取付する。その後、回路基板１５は本体１４に固定する。一方、カバー１３の背面側に設けた保持部８に、操作体１の一対の軸部２を正しい向きで取付する。カバー１３を本体１４に固定すれば火災警報器３０が完成する。火災警報器３０の火災検出部１６は、煙式のタイプ以外に熱式のタイプでも炎式のタイプでもよい。また、電源供給部はバッテリ式でもＡＣ電源でもよい。
【００２０】
本発明の実施形態における火災警報器３０によると、引き紐５は火災警報器３０の内部を通過させる必要がないため、火災警報器３０を小型化、薄型化できる。また、カバー１３の開口部１０から臨んでいる係止部６に引き紐５を容易に着脱することができるので、美感上で引き紐５が目障りであるなどの要望に十分対応することができる。従って、住宅内で違和感なく設置できる。
【図面の簡単な説明】
【００２１】
【図１】本発明の実施形態における火災警報器３０の外観図である。
【図２】本発明の実施形態における火災警報器３０の操作体１の外観図である。
【図３】本発明の実施形態における火災警報器３０の操作体１の側面図である。
【図４】本発明の実施形態における火災警報器３０において引き紐５が取付された状態を示す断面図である。
【図５】本発明の実施形態における火災警報器３０においてスイッチ１１の操作時の操作体１の状態を示す断面図である。
【図６】本発明の実施形態における火災警報器３０においてスイッチ１１の無操作時の操作体１の状態を示す断面図である。
【符号の説明】
【００２２】
１    操作体
２    軸部
３    押し釦操作部
４    導光部
５    引き紐
６    係止部
７    平板
８    保持部
９    引掛け片
１０  開口部
１１  スイッチ
１２  表示灯
１３  カバー
１４  本体
１５  回路基板
１６  火災検出部
１７  キートップ
１８  傾斜面
１９  操作面
２０  延長線
２１  凹部
３０  火災警報器
【図１】
0004804979.tif 000002
【図２】
0004804979.tif 000003
【図３】
0004804979.tif 000004
【図４】
0004804979.tif 000005
【図５】
0004804979.tif 000006
【図６】
0004804979.tif 000007